(57)【要約】      （修正有）【課題】飛来害虫のなかで、夕方の薄明かり時点に飛来する昆虫を、経済的かつ効果的荷に防除しようとするものである。【解決手段】飛来害虫の忌避や行動抑制を効果的の制御するために設置した各種センサーやスイッチを含む複数の制御情報に基づいて点灯及び消灯を制御する手段を備えたことを特徴とする飛来害虫防除電源コントロール設備。飛来害虫の特に夕方から夜までの間に飛来する害虫の忌避をするために、センサーを用いてスイッチを含む複数の制御情報に基いて点灯及び消灯を制御する手段を備えたことを特徴とする飛来害虫防除電源コントロール設備。【選択図】図３
0003119643.tif 000002
【実用新案登録請求の範囲】
【請求項１】
飛来害虫の忌避や行動抑制を効果的の制御するために設置した各種センサーやスイッチを含む複数の制御情報に基づいて点灯及び消灯を制御する手段を備えたことを特徴とする飛来害虫防除電源コントロール設備。
【請求項２】
飛来害虫の特に夕方（薄明るい）から夜（真暗）までの間に飛来する害虫        
の忌避をするために、センサーを用いてスイッチを含む複数の制御情報に基づいて点灯及び消灯を制御する手段を備えたことを特徴とする飛来害虫防除電源コントロール設備。
【考案の詳細な説明】
【技術分野】
【０００１】
本考案は、果樹、花卉、野菜などの植物を飛来害虫から保護する飛来防除除コントロール設備に関するものである。
【背景技術】
【０００２】
従来、例えばアケビのコノハ等のヤガ類やハスモントウヨウ等のヨトウ虫類のような飛来害虫から花卉、野菜、果樹の植物を保護するための防除装置としては、波長域が５６０〜５９０nm程度の黄色光線を発する黄色蛍光灯を備えたものが知られている。
【０００３】
前者の防衛措置は、黄色光線で行動が抑制されるというヤガ類等の習性を利用したものである。すなはち、黄色蛍光灯の照明により、ヤガ類等が植物を栽培する温室内に進入するのを防止するとともに、ヤガ類等が温室内で産卵するのを抑制するとゆうものである。
【考案の開示】
【考案が解決しようとする課題】
【０００４】
ところで、従来の防除装置の使い方は、ただ取り付けて暗くなると防蛾灯を点灯し、翌朝明るくなると消灯するとゆう態様であった。
【０００５】
しかし、黄色い光線は「飛来害虫の飛来忌避時間帯と光量」・「飛来害虫の行動抑制時間帯と光量」は同じではありません。
【０００６】
飛来害虫のなかで、夕方の薄明かり時点に飛来する昆虫を、経済的かつ効果的に防除しようとするものである。
【課題を解決するための手段】
【０００７】
飛来害虫の忌避や行動抑制を効果的の制御するために設置した各種センサーやスイッチを含む複数の制御情報に基づいて点灯及び消灯を制御する手段を備えたことを特徴とする飛来害虫防除電源コントロール設備。
【０００８】
飛来害虫の特に夕方（薄明るい）から夜（真暗）までの間に飛来する害虫の忌避をするために、センサーを用いてスイッチを含む複数の制御情報に基づいて点灯及び消灯を制御する手段を備えたことを特徴とする飛来害虫防除電源コントロール設備。
【考案の効果】
【０００９】
夕方から翌朝まで同一の光量を点灯せず、時間帯毎の光量を変化することでより経済的な飛来害虫を防除するものである。
【００１０】
以上説明したように、請求項1と請求項２の発明にかかる飛来害虫防除電源盤は、黄色光に反応する害虫の行動パターンを光センサーを活用にて、害虫の飛来忌避と夜間の行動抑制を経済的且つ効果的に黄色光の発光を可能とした制御手段を備えたと言うものである。これにより、従来の光センサーによるスイッチON、OFF式よりも3割程度の電気節減が可能となり、対害虫に対しては、必要充分なる光量を照射可能となり、害虫防除管理電源盤としても強化された。
【考案を実施するための最良の形態】
【００１１】
この技術的課題を解決するため、請求項1と請求項２の発明は、植物を飛来害虫から保護する飛来害虫防除電源盤であって、害虫の飛来忌避と行動抑制を黄色点灯の「光量と点灯時間」を制御する手段を備えたことである。
【実施例】
【００１２】
次に、本考案を具体化した実態形態を、果樹園に摘要した場合の図面に基づいて説明する。図１は果樹園概略図、図2はコントロールボックスの上面図、図3は光源の点灯、消灯の制御フローチャートである。実施例では黄色の蛍光灯の動作フローチャートである。図5は、コントローラーの機能ブロック図である。
【００１３】
図1は波長域５００nm以下をカットした黄色光線を発する蛍光灯からなる光源１を設置し、その光源を管理するコントロールボックス２を設置した略図です。光源は行動抑制荷に必要な光量と、飛来忌避に必要な光量とを、発光可能な能力を有する光源を図1図内に均等に配置した。
【００１４】
図2は光センサーを有し、ボックス内部に光源１の発光時間、発光量を管理する基盤IC等が組み込まれ、設定照度と点灯時間の自動管理をしています。
コントロールボックスは直接光源１に配線され繋がれています。
【００１５】
コントロールセンサー９は、光源1を図3のフローチャートのような動作を実施するために、図5に記載したような機能ブッロクパターンの動作を行うように組み込まれています。夕方になると光源センサーA５と光源センサーB６が設定照度以下になると光源１を全て点灯し、飛来害虫を忌避します。さらに暗くなり飛来害虫が活動しなくなると（設定照度以下になると）光センサーB６が反応し、害虫の行動抑制に必要な黄色光の光量にまで照度を落とします。
翌朝日が昇れば全て消灯状態となりリターンします。
【００１６】
センサーの電源はAC入力12から１００Vで供給し、直流に変換して使用します。コントロールセンサー９は光センサー５と６から入手した信号を計算し、必要に応じてDC出力A、DC出力Bに直流６Vの電流を出力します。
【図面の簡単な説明】
【００１７】
【図１】本考案にかかる飛来害虫防除システムを設置した果樹園の略図である。
【図２】防除システム電源盤の正面略図である。
【図３】光源の点灯、消灯の制御フローチャートである。
【図４】コントロールセンサーの機能ブロック図である。
【符号の説明】
【００１８】
１  光源
２  コントロールボックス
３  光センサー
４  果樹園農場
５  光信号入りA
６  光信号入りB
７  AC出力A
８  AC出力B
９  コントロールセンサー
10  DC出力A
11  DC出力B
12  AC入力
【図１】
0003119643.tif 000003
【図２】
0003119643.tif 000004
【図３】
0003119643.tif 000005
【図４】
0003119643.tif 000006
【手続補正書】
【提出日】平成17年7月29日(2005.7.29)
【手続補正１】
【補正対象書類名】実用新案登録請求の範囲
【補正対象項目名】請求項１
【補正方法】変更
【補正の内容】
【請求項１】
飛来害虫の忌避と行動抑制を効果的の制御するために設置した光センサーと，光センサーの情報に基づいて点灯及び消灯を制御する手段を備えたことを特徴とする飛来害虫防除電源コントロール設備。
【手続補正２】
【補正対象書類名】明細書
【補正対象項目名】全文
【補正方法】変更
【補正の内容】
【考案の詳細な説明】
【技術分野】
【０００１】
本考案は、果樹、花卉、野菜などの植物を飛来害虫から保護する飛来害虫防除コントロール設備に関するものである。
【背景技術】
【０００２】
従来、例えばアケビノコノハ等のヤガ類やハスモントウヨウ等のヨトウ虫類のような飛来害虫から花卉、野菜、果樹の植物を保護するための防除装置としては、波長域が５６０〜５９０nm程度の黄色光を発する黄色蛍光灯を備えたものが知られている。
【０００３】
この防衛措置は、黄色線で行動が抑制されるというヤガ類等の習性を利用したものである。すなわち、黄色灯の照明により、ヤガ類等が植物を栽培する温室内に進入するのを防止するとともに、ヤガ類等が産卵するのを抑制するというものである。
【考案の開示】
【考案が解決しようとする課題】
【０００４】
ところで、従来の防除装置の使い方は、ただ取り付けて夕方暗くなると黄色灯を点灯し、翌朝明るくなると消灯するという態様であった。
【０００５】
しかし、黄色光の点灯時間と光量は飛来害虫の飛来忌避時間と光量と，害虫の行動抑制時間と光量とは本来変えるべきものである。
【０００６】
飛来害虫のなかで、夕方の薄明かり時点で飛来する昆虫を、経済的かつ効果的に防除しようとするものである。
【課題を解決するための手段】
【０００７】
飛来害虫の忌避と行動抑制を効果的の制御するために設置した光センサーと，光センサーの情報に基づいて点灯及び消灯を制御する手段を備えたことを特徴とする飛来害虫防除電源コントロール設備。
【０００８】
飛来害虫の飛来を忌避するために，夕方の薄明かりから夜間即ち真暗の間は点灯し、深夜に活動する害虫の行動を抑制するために，光センサーの情報で，一部点灯を残すことで深夜の害虫の行動パターンも阻害し，防除するものである。
【考案の効果】
【０００９】
夕方から翌朝まで同一の光量で点灯せず、時間帯毎の光量を変化させることで害虫の行動パターンを阻害し，より経済的に害虫を防除するものである。
【００１０】
以上説明したように、請求項1の考案にかかる飛来害虫防除電源コントロール設備は、黄色光に反応する害虫の行動パターンを活用するため，例えば複数の光センサーの照度情報を活用して、害虫の飛来忌避と夜間の行動抑制を経済的且つ効果的に行うために，黄色光の発光時間と発光量の調整を可能とした制御手段を備えた飛来害虫防除電源コントロール設備である。これにより、従来の光センサーによるスイッチON、OFF式よりも3割程度の電気節減が可能となり、対飛来害虫に対しては、必要充分なる光量を照射可能となり、飛来害虫防除電源コントロール設備としても強化された。
【考案を実施するための最良の形態】
【００１１】
この技術的課題を解決するため、請求項1の考案は、植物を飛来害虫から保護する飛来害虫防除電源盤であって、害虫の飛来忌避と行動抑制を黄色点灯の光量と点灯時間を制御する手段を備えたことである。
【実施例】
【００１２】
次に、本発明を具体化した実態形態を、果樹園に摘要した場合の図面に基づいて説明する。図１は果樹園概略図、図2はコントロールボックスの上面図、図3は蛍光灯の動作フローチャート、図４は、コントローラーの機能ブロック図である。
【００１３】
図1は波長域５００nm以下をカットした黄色光線を発する光源１を多数設置し、その光源を管理する飛来害虫防除電源コントロール設備，すなわちコントロールボックス２を設置した略図です。光源は行動抑制荷に必要な光量と、飛来忌避に必要な光量とを、発光可能な能力を有する光源を図1図内に均等に配置した。
【００１４】
図2は光センサー5  ６を有し、光源１の発光時間、発光量を管理する基盤９  IC等が組み込まれ、設定照度と点灯時間の自動管理をしています。
コントロールボックスは直接光源１に配線され繋がれています。
【００１５】
コントロールセンサー９はコントロールボックス２内に配置され、光源1を図3のフローチャートのように動作をコントロールします。コントロールセンサー９は図４に記載したような機能ブッロクパターンの動作を行うように組み込まれています。即ち夕方になると光源センサー５と光源センサー６が設定照度以下になると光源１を全て点灯し、カメ虫等飛来害虫を忌避します。さらに暗くなり飛来害虫が活動しなくなる時間帯即ち設定照度以下になると光センサー６が反応し、ヤガ等害虫の行動抑制に必要な黄色光の光量にまで照度を落とします。
翌朝日が昇れば全て消灯状態となりリターンします。
【００１６】
センサーの電源は交流のAC入力12から１００Vで供給し、直流に変換して使用します。コントロールセンサー９は光センサー５と６から入手した信号を計算し、直流DC出力A、直流DC出力Bに直流12Vの電流を出力します。
【図面の簡単な説明】
【００１７】
【図１】本発明にかかる飛来害虫防除システム設備を設置した果樹園の略図である。
【図２】防除システム電源盤の正面略図である。
【図３】光源の点灯、消灯の制御フローチャートである。
【図４】コントロールセンサーの機能ブロック図である。
【符号の説明】
【００１８】
１  光源
２  コントロールボックス
３  光センサー
４  果樹園農場
５  光信号入り
６  光信号入り
７  AC出力A
８  AC出力B
９  コントロールセンサー
10  DC出力A
11  DC出力B
12  AC入力
【手続補正書】
【提出日】平成17年11月11日(2005.11.11)
【手続補正１】
【補正対象書類名】実用新案登録請求の範囲
【補正対象項目名】請求項２
【補正方法】変更
【補正の内容】
【請求項２】
飛来害虫の特に夕方の薄明かりから夜間即ち真暗の間までに飛来する害虫の忌避をするために、センサーを用いてスイッチを含む複数の制御情報基づいて点灯及び消灯を制御する手段を備えたことを特徴とする飛来害虫防除電源コントロール設備。